(57)【要約】【課題】銀行キャシュカード等の各種カードを使い暗証番号等の個人情報を入力する際に、入力情報を周囲から見られることを防止する。格納位置と使用位置の２位置を容易に切り替えでき、キー操作や他の入力操作を支障なく行え、かつ上方、下方、後方などからの盗み見の確実な防止を図る。【解決手段】仕切り壁３３で区画してハニカムからなる小開口２、２が連続したコア材１を上下に開口し、上下を透明透視板４、６で挟み、外周に周枠８を取り付け、視認基板１０とする。視認基板１０の周枠８にカーテン２４を垂らし、保持手段２２のアーム１４の先端を視認基板１０に固定して、盗み見防止装置３０とする。【選択図】図１
2007065987.tif 000002
【特許請求の範囲】
【請求項１】
視認基板に、該視認基板を格納位置と使用位置の少なくとも２位置を取るように配置できる保持手段を取り付けてなり、
前記視認基板は、上方から操作者は操作する手元を視認でき、上方から角度を持った状態で非操作者は視認できない構造とし、
前記視認基板の周縁の全周又は一部の縁に、下方に向けて、目隠しカバーを取り付けたことを特徴とする入力盗み見防止装置。
【発明の詳細な説明】
【技術分野】
【０００１】
この発明は、銀行キャシュカード、クレジットカード、デビットカード等の各種カードを使用する場合で、暗証番号等の個人情報を入力する際に、その入力情報を周囲から見られることを防止する入力盗み見防止装置に関する。
【背景技術】
【０００２】
キーボードの上部を不透明の角筒状のカバーで覆い、カバー下端部の開口から手を入れてキーボードを操作し、カバー上端の開口から手元を確認する装置が提案されている（特許文献１）。この場合、上端の開口に比してカバーを高くして遮蔽し、あるいは、カバーが低い場合には、上端の開口を小開口に細分した構造が提案されている。
【０００３】
また、キーを、横方向に開口部を有するキー隠しカバーで覆う提案もされている（特許文献２）。この場合、キー隠しカバーは不透明なパルプ材等で構成され、操作者は開口部から手を入れ、キートップ及び手元を見ながら操作をする。
【０００４】
また、表示窓用透明ホログラムで携帯電話の画面を覆い、のぞき見防止用に使用する旨が提案されている（特許文献３）。
【特許文献１】特開昭４９−９７５２２
【特許文献２】特開２００１−３２５６６５
【特許文献３】特開２００２−７０３６
【発明の開示】
【発明が解決しようとする課題】
【０００５】
これらの発明は、常にキートップをカバーで覆う構造であり、銀行ＡＴＭ装置のように画面と入力キーとが一体となった装置では、暗証番号入力時には、盗み見を防止できるが、他の操作の際には、邪魔になり、とりわけ銀行ＡＴＭのように画面に入力キーが配置された装置の場合には、画面の表示が見にくい問題点があった。
【０００６】
また、暗証番号入力用のキーボードを移動する場合に、入力盗み見防止装置を移動しにくいという問題点があった。
【課題を解決するための手段】
【０００７】
然るにこの発明は、入力予定のキーボード等の正面上方に配置できる視認基板に、目隠しカバー（カーテン）と保持手段を取り付けて盗み見防止装置を構成したので、前記問題点を解決した。
【０００８】
即ちこの発明は、視認基板に、該視認基板を格納位置と使用位置の少なくとも２位置を取るように配置できる保持手段を取り付けてなり、前記視認基板は、上方から操作者は操作する手元を視認でき、上方から角度を持った状態で非操作者は視認できない構造とし、前記視認基板の周縁の全周又は一部の縁に、下方に向けて、目隠しカバーを取り付けたことを特徴とする入力盗み見防止装置である。
【発明の効果】
【０００９】
視認基板は、保持手段により、格納位置と使用位置の二位置をとることができるので、暗証番号を入力しない場合にも、格納位置に保持すれば、他の操作の邪魔にならない効果がある。また、格納位置と使用位置の二位置をとることができるので、狭い場所であっても、入力盗み見防止装置を整理して、保管できる。
【００１０】
また、視認基板及び目隠しカバーにより、視認基板より高い位置からの盗み見を防止でき、また、目隠しカバーにより、視認基板より低い位置からの盗み見を防止でき、より確実な盗み見を防止を実現できる効果がある。
【００１１】
また目隠しカバーを柔軟材料で構成した場合には、より確実な盗み見を防止ができると共に、目隠しカバー内に位置するキーボードの操作が容易となる。
【発明を実施するための最良の形態】
【００１２】
（１）  この発明の盗み見防止装置は、入力予定のキーボード等の正面上方に配置できる視認基板に、目隠しカバー（カーテン）と保持手段を取り付けて構成する。
【００１３】
（２）  視認基板は、全体が板状で、放射方向（板の表面と直交する方向）から見た場合には、視認基板を透視してその先が見え、放射方向と角度（例えば３０度以上）を持った位置から視認基板を見た場合には、透視できない構造となっている。例えば、多数の小開口を連続したハニカムコア材、格子材から構成する。あるいは、正面からは透視できるが斜めからは透視できないような盗み見防止フィルムを使用することもできる。
【００１４】
多数の小開口を連続したハニカムコア材、格子材を使用する場合、樹脂製・金属製などの剛性のある枠内に紙製・樹脂製等の汎用のハニカムコア材を取り付けて視認基板を構成することもできる。更にこの場合、ハニカムコア材の上面及び下面の一方又は両方を透明の板で被覆すれば、ハニカムコア材を保護すると共に視認基板の全体が補強される。また、ハニカムコア材を使用する場合、枠とハニカムコア材とを一体となるように各種樹脂材で成型して視認基板を構成することもできる。
【００１５】
（３）  目隠しカバーは、視認基板の周縁の全部又は一部に、その上端部を取り付けて、視認基板の下方に垂らしてあり、キーボードを覆うことができる。目隠しカバーは、少なくとも下端部を柔軟材料で構成して、下端部から目隠しカバー内に手を差し入れられるようになっている。目隠しカバーは、上端部又は下端部のみを柔軟材料とすることもできるが、通常は全体を柔軟材料とする。要は、目隠しカバーで、キーボードの操作面を隠すことができ、かつ人が手を入れた場合、手により押しのけられた目隠しカバーが変形するので目隠しカバーが手を押圧することがないので、操作者は容易に手をキーボードの操作面におくことができ、かつ差し入れた手の周辺と目隠しカバーの隙間とからキーボードの操作面を覗くことができない構造とする。
【００１６】
また、前記における柔軟材料としては、例えば、布、網、紙、樹脂シート等が考えられる。
【００１７】
また、目隠しカバーは、縦に垂らした短冊状、紐状、棒状とすることもでき、この場合には、軟質材料に限らず、硬質材料とすることもできる。即ち、隣接した短冊（紐、棒）の間から手を入れれば、短冊間が開き、手を入れることができるように（例えば、短冊等の上端で回動自在に）、短冊等を視認基板に取り付ける。
【００１８】
（４）  保持手段は、視認基板をキーボードの上方位置（暗証番号等を入力する位置）と上方位置からずれた位置（暗証番号の入力作業以外の作業をする際に、邪魔になら無い位置）とを取ることができる。保持手段はある程度の剛さを有して、視認基板をキーボードの上方位置から動かないように保持でき、上方位置からずれた位置でもその位置を保持できる構造とする。
【００１９】
また、保持手段は、鎖、紐、ロープのような保形できない軟らかい材料から構成し、使用者が視認基板を持つことにより、キーボードの上方位置から動かないように保持できる構造とすることもできる。この場合には、手を離すことにより、上方位置からずれた位置に視認基板を移動させて、その位置で視認基板を保持できる構造とする。
【実施例１】
【００２０】
図１〜図４に基づきこの発明の実施例を説明する。
【００２１】
［１］盗み見防止装置３０の実施例
【００２２】
（１）  仕切り壁３、３で区画して、高さＨ、最大幅Ｄのハニカムからなる小開口２、２が連続したコア材１を上下に開口して配置する。コア材１の上下を、透明アクリル板からなる透視板４、６で挟み、上下の透視板４、６の外周に金属製の周枠８を取り付ける。周枠８は、断面略コ字状で、上下のフランジ部９、９で、上側の透視板４の外周部５の上面と下側の透視板６の外周部７の下面とを挟んで、コア材１と上下の透視板４、６を分離しないように一体に固定する。以上のようにして、視認基板１０を構成する。
【００２３】
前記におけるコア材１は、紙、木、樹脂、布、金属等任意の材料から構成することができる。また、前記における透視板４、６は、透明でかつ加工が容易で安価であるので透明のアクリル板を採用したが、透明であれば、ガラスなどその材質は問わない。また、前記における周枠８は、アルミニウム、ステンレスなどの金属の他、透視板４、６とコア材１とを固定できれば、他の硬質の樹脂材料等を使用することもできる。
【００２４】
（２）  四隅にビス穴１３、１３を設けた固定板１２に、折り曲げて成形自在なアーム１４の基端１５を固定して、保持手段２２を構成する。
【００２５】
アーム１４は、例えば、一側に球状の凸部１８を有し他側に凸部１８を受ける凹部１９を形成した基材１７、１７を、凹部１９と凸部１８とを回動自在に連結して連結した基材の外周を柔軟樹脂材料からなるパイプ材で覆った構造とする。
【００２６】
（３）  視認基板１０の周枠８の四周に柔軟な布材からなるカーテン２４の上端部を固定して、カーテン２４を視認基板１０の下方に垂らす。保持手段２２のアーム１４の先端を視認基板１０の周枠８の側面に固定して、この発明の盗み見防止装置３０を構成する。
【００２７】
［２］盗み見防止装置３０の使用
【００２８】
（１）  使用者は、視認基板１０又は保持手段２２を持ち、視認基板１０を、キーボード（暗証番号入力装置）の上方に位置させる。視認基板１０は、保持手段２２によって、この位置に保持される。
【００２９】
使用者はカーテン２４の下から手を入れ、カーテン２４の下端部をたるませて、手をキー面に位置させる。使用者は、視認基板１０の上方からキー面及び指先を確認しながら、キー操作して、暗証番号などを入力できる。
【００３０】
この状態で、キーボートの少なくともキー面はカーテン２４に隠れるように、位置させれば、
キー操作を見られるおそれがない。即ち、視認基板１０より低い高さでは、カーテン２４に覆われるので、周囲からはキー操作を見られるおそれはない。また、視認基板１０より高い位置では、カーテン２４が取り付けられているので視認基板１０の外側からキー操作を見られないと共に、コア材１が小開口２、２に区画されているので、視認基板１０を通して、斜め上方からキー操作を見られるおそれがない。
【００３１】
（２）  キー操作不要時には、視認基板１０又は保持手段２２を持ち、保持手段２２を折り曲げて、視認基板１０を邪魔にならない位置に移動させて保持することができる。
【００３２】
（３）また、予め設置した盗み見防止装置３０のカーテン２４内に、キーボードを移動させて操作する場合や、前記のように、キーボートの上方に盗み見防止装置３０を移動させて、操作する場合に、保持手段２２を適宜移動して、最適な位置に視認基板１０を保持して、キー入力操作ができる。
【００３３】
（４）  また、銀行等のＡＴＭ装置で盗み見防止装置３０を使用する場合には、表示画面がキー操作面になっているので、暗証番号を入力する以外の時に、盗み見防止装置３０が邪魔になるので、不要時に画面から遠い位置に保持できるので、特に有効である。
【００３４】
［３］他の実施例
【００３５】
（１）  また、前記実施例において、視認基板１０で、周枠８を使用したが、コア材１と透視板４、６とを一体に束ねることができれば、四周全周ではなく、１辺〜３辺に周枠８を設けることもできる。また、透視板４、６とコア材１とを接着などにより一体に構成できれば、周枠８を省略することもできる（図示していない）。この場合には、カーテン２４、アーム１４を透視板４、６又はコア材１に固定する。
【００３６】
（２）  また、視認基板１０が過誤により、ＡＴＭ装置の操作画面（ガラス質）を保護する為に、周枠８の外周面（更に上面も）に柔軟な樹脂材料を吹き付け又は接着等することもできる。また、同じ理由から、周枠８の材料を硬質のゴム材料から構成することもできる。
【００３７】
（３）  また、前記実施例において、視認基板１０で、コア材１の上下１ａ、１ｂを透視板４、６で挟んだが、周枠８内で、コア材１が保形できれば、一方又は両方の透視板４、６は省略することもできる（図示していない）。更に、コア材１のみで保形できれば、透視板４、６と周枠８の両方を省略することもでき、この場合には、アーム１４とカーテン２４をコア材１の周囲に固定する（図示していない）。
【００３８】
（４）  また、前記実施例において、アーム１４は、基材１７、１７を、凹部１９と凸部１８とを回動自在に連結して、球面継手のリンクが連ねたフレキシブルアームとしたが、ある程度の重さの視認基板を所望の位置に保持できれば、パンタグラフ状の構造等、任意である。
【００３９】
（５）  また、前記において、コア材１をハニカム材から構成し、６角形の小開口２、２を形成したが、正方形状に分割した小開口２、２を形成して格子状のコア材１を構成することもできる（図３、図４）。この場合、透視板を４、６を省略し、周枠８とコア材１とを一体に形成してある。
【実施例２】
【００４０】
図５〜図９に基づきこの発明の他の実施例を説明する。
【００４１】
［１］盗み見防止装置３０の構成
【００４２】
（１）  ゴム材料からなる長方形状の保護枠３２の中央部付近に開口３３を形成し、開口３３内にハニカムコアからなるコア材１をはめて、保護枠３２及びコア材１の上下を透明アクリル板からなる透視板４、６で挟む。透視板４、６の上下で、外周部５，７で、保護枠３２に相当する位置にアルミニウム板からなる周枠３４、３５を配置する。
【００４３】
前記におけるコア材１は、仕切り壁３、３で区画して、高さＨ、最大幅Ｄのハニカムからなる小開口２、２が連続した構造である。
【００４４】
上側の周枠３４の上面３４ａと下側の周枠３５の下面３５ｂとの間にリベット３９、３９を打ち、保護枠３２、透視板４、６、周枠３４、３５を分離しないように一体に束ねる。
【００４５】
以上のようにして、視認基板１０を構成する。前記におけるコア材１、透視板４、６の材質は前記実施例と同様である。また、周枠３４、３５も、アルミニウムとしたが、ステンレスなどの他の金属や、透視板４、６とコア材１とを固定できれば、他の硬質の樹脂材料等を使用することもできる。
【００４６】
（２）  壁等に取り付けられる固定板３７に鎖３６の基端部を回動自在に固定して、保持手段２２とする。
【００４７】
（３）  視認基板１０の周枠８の四周に柔軟な布材からなるカーテン２４の上端部２５を固定して、カーテン２４を視認基板１０の下方に垂らす。保持手段２２の鎖３６の先端を視認基板１０の周枠８の隅部に取り付けたリング３８に固定して、この発明の盗み見防止装置３０を構成する。
【００４８】
［２］盗み見防止装置３０の使用
【００４９】
（１）  使用者は、一方の手で視認基板１０を持ち、視認基板１０を、キーボード（暗証番号入力装置）の上方に位置させる。
【００５０】
使用者は、一方の手で視認基板１０を持ち、他方の手でカーテン２４の下から手を入れ、カーテン２４の下端部２６をたるませて、手をキー面に位置させる。使用者は、視認基板１０の上方からキー面及び指先を確認しながら、キー操作して、暗証番号などを入力できる。
【００５１】
この状態で、キーボートの少なくともキー面はカーテン２４に隠れるように、位置させれば、視認基板１０より低い高さで、周囲からはキー操作を見られるおそれはない。また、視認基板１０より高い位置では、コア材１が小開口２、２に区画されているので、斜め上方からキー操作を見られるおそれがない。
【００５２】
（２）  キー操作不要時には、視認基板１０を放せば、視認基板１０は、鎖が垂れた状態で、固定板３７の下方で、視認基板１０を邪魔にならない位置に移動させて保持することができる。
【００５３】
（３）  また、予め設置した盗み見防止装置３０のカーテン２４内に、キーボードを移動させて操作する場合や、前記のように、キーボートの上方に盗み見防止装置３０を移動させて、操作する場合に、保持手段２２を適宜移動して、最適な位置に視認基板１０を保持して、キー入力操作ができる。
【００５４】
（４）  また、銀行等のＡＴＭ装置で盗み見防止装置３０を使用する場合には、表示画面がキー操作面になっているので、暗証番号を入力する以外の時が、固定板３７の下方に垂れた状態にあり、盗み見防止装置３０が邪魔にならない。
【００５５】
（５）  また、最も外周に位置する部分にゴム材からなる保護枠３２の周縁が位置するので、視認基板を、ＡＴＭの画面に落下させた場合であっても、ＡＴＭの画面を傷つけるおそれがない。
【００５６】
［３］他の実施例
【００５７】
（１）  前記実施例において、保護枠３２、周枠３４、３５を長方形状としたが、正方形状とすることもできる（図７（ａ）（ｂ））。また、五角形、六角形、円形等他の形状とすることもできる（図示していない）。
【００５８】
（２）  また、前記実施例において、保護枠３２、周枠３４、３５を硬質のゴム製の材料から構成することもできる（図示していない）。この場合、保護枠３２、周枠３４、３５を一体に構成することもできる。
【００５９】
（３）  また、前記実施例において、視認基板１０で、保護枠３２を板状とし、周枠３４、３５をアルミニウム板としたが、他の構成とすることもできる（図８、図９）。コア材１の上下に透明アクリル板からなる視認板４、６で挟み、視認板４、６の外周部５、７に、実施例１と同様にコ字状の周枠８を配置する。また、周枠８の上下のフランジ部９、９で視認板４、６を挟み、周枠８の外周にゴム板からなる保護枠３２を配置し、保護枠３２と周枠８とをリベット３９、３９で一体に固定する。以上のようにして視認基板３０を構成する（図８、図９）。
【００６０】
この場合には、一隅部で周枠と保護枠を突出させ、この突出部分にリング３８を回動自在に取付し、保持手段２２の鎖３６の先端をリング３８に固定する（図８（ａ））。
【実施例３】
【００６１】
図１０、１１に基づきこの発明の他の実施例を説明する。
【００６２】
［１］盗み見防止装置３０の構成
【００６３】
（１）  ゴム材料からなる保護枠３２の中央部付近に開口３３を形成し、開口３３内に盗み見防止フィルム４１で覆い、盗み見防止フィルムの周縁部を保護枠３２上に位置させ、保護枠３２に相当する位置にアルミニウム板からなる周枠３４、３５を配置する。
【００６４】
上側の周枠３４の上面３４ａと下側の周枠３５の下面３５ｂとの間にリベット３９、３９を打ち、保護枠３２、周枠３４、３５を分離しないように一体に束ねる。
【００６５】
前記における盗み見防止フィルム４１は、正面方向（フィルム面と直交する方向）から見た場合に透視でき、斜め方向（フィルムと直交する方向と所定角度、例えば３０度以上）から見るとフィルムを透視できない構造となっているフィルムである。例えば、乱反射を利用して、上記機能を達成する。
【００６６】
以上のようにして、視認基板１０を構成する。前記における周枠８は、実施例２と同様に、アルミニウムとしたが、ステンレスなどの他の金属や、他の硬質の樹脂材料等を使用することもできる。
【００６７】
（２）  壁等に取り付けられる固定板３７に鎖３６の基端部を回動自在に固定して、保持手段２２とする（図１０（ａ））。
【００６８】
（３）  視認基板１０の周枠８の四周に柔軟な布材からなるカーテン２４の上端部２５を固定して、カーテン２４を視認基板１０の下方に垂らす。保持手段２２の鎖３６の先端を視認基板１０の周枠８の隅部に取り付けたリング３８に固定して、この発明の盗み見防止装置３０を構成する（図１０）。
【００６９】
［２］盗み見防止装置３０の使用
【００７０】
盗み見防止装置３０の使用は、前記実施例２と同様である。
【００７１】
［３］他の実施例
【００７２】
（１）  前記実施例において、保護枠３２、周枠３４、３５を使用したが、盗み見防止フィルム４１が単独で大きく撓まないような強度を有する場合には、盗み見防止フィルム４１のみから視認基板１０を構成することもできる（図示していない）。従って、この場合には、盗み見防止フィルム４１の周囲にカーテンの上端部を取り付け、保持手段２２の鎖３６を固定するリング３８を取り付ける。また、この場合、盗み見防止フィルム４１の周縁部にゴム材からなる保護枠３２を枠状に形成することもできる。
【００７３】
（２）  また、前記実施例において、保護枠３２、周枠３４、３５を硬質のゴム製の材料から構成することもできる（図示していない）。この場合、保護枠３２、周枠３４、３５を一体に構成することもできる。
【図面の簡単な説明】
【００７４】
【図１】この発明の実施例１で、（ａ）は斜視図、（ｂ）は（ａ）のＡ−Ａ線において破切した斜視図である。
【図２】図１（ａ）のＡ−Ａ線における断面図である。
【図３】同じくこの発明の実施例１で、（ａ）は斜視図、（ｂ）は（ａ）のＢ−Ｂ線において破切した斜視図である。
【図４】図３（ａ）のＢ−Ｂ線における断面図である。
【図５】この発明の実施例２で、（ａ）は斜視図、（ｂ）は（ａ）のＣ−Ｃ線において破切した斜視図である。
【図６】図５（ａ）のＣ−Ｃ線における断面図である。
【図７】同じくこの発明の実施例２で、（ａ）は一部斜視図、（ｂ）は（ａ）のＦ−Ｆ線における断面図である。
【図８】同じくこの発明の実施例２で、（ａ）は斜視図、（ｂ）は（ａ）のＤ−Ｄ線において破切した斜視図である。
【図９】図８（ａ）のＤ−Ｄ線における断面図である。
【図１０】この発明の実施例３で、（ａ）は斜視図、（ｂ）は（ａ）のＥ−Ｅ線において破切した斜視図である。
【図１１】図１０（ａ）のＥ−Ｅ線における断面図である。
【符号の説明】
【００７５】
１  コア材
１ａ  コア材の上面
１ｂ  コア材の下面
２  小開口
３  仕切り壁
４  透視板
５  透視板の外周部
６  透視板
７  透視板の外周部
８  周枠
９  周枠のフランジ部
１０  視認基板
１２  基板
１４  アーム
１５  アームの基端
１６  アームの先端
１７  アームの基材
１８  アームの基材の凸部
１９  アームの基材の凹部
２０  アームのパイプ材
２２  保持手段
２４  カーテン
２５  カーテンの上端部
２６  カーテンの下端部
３０  盗み見防止装置
３２  保護枠
３３  保護枠の開口
３４  周枠
３４ａ  周枠の上面
３５  周枠
３５ｂ  周枠の下面
３６  鎖
３７  固定板
３８  リング
３９  リベット
４１  盗み見防止フィルム
【図１】
2007065987.tif 000003
【図２】
2007065987.tif 000004
【図３】
2007065987.tif 000005
【図４】
2007065987.tif 000006
【図５】
2007065987.tif 000007
【図６】
2007065987.tif 000008
【図７】
2007065987.tif 000009
【図８】
2007065987.tif 000010
【図９】
2007065987.tif 000011
【図１０】
2007065987.tif 000012
【図１１】
2007065987.tif 000013